【手続補正書】
【提出日】平成17年7月13日(2005.7.13)
【手続補正１】
【補正対象書類名】明細書
【補正対象項目名】全文
【補正方法】変更
【補正の内容】
【書類名】  明細書
【発明の名称】  電気掃除機用吸込具並びに電気掃除機
【特許請求の範囲】
【請求項１】  下面に吸込口を開口させた吸込具本体と、前記吸込口に臨むように前記吸込具本体内に回転自在に設けた回転ブラシとを備え、前記回転ブラシは、外周面に塵埃掻き上げ部を設けた略筒状のブラシホルダーと、前記回転ブラシを回転駆動する電動機と、前記電動機を保持し前記回転ブラシを軸支する中空軸とを有し、前記電動機および前記中空軸を前記ブラシホルダーの内部に設け、前記中空軸の少なくとも前記ブラシホルダーからの外部露出部分を絶縁材で形成または覆うように構成した電気掃除機用吸込具。
【請求項２】  電動機に電気的に接続された電動機用基板を設け、前記電動機用基板側から冷却風を通過させるよう構成した請求項１記載の電気掃除機用吸込具。
【請求項３】  電動機は、整流子電動機で構成し、整流子側から冷却風を通過させるよう構成した請求項１または２記載の電気掃除機用吸込具。
【請求項４】  電動機の温度過昇を防止する温度過昇防止装置を備えた請求項１〜３のいずれか１項に記載の電気掃除機用吸込具。
【請求項５】  電動機の過電流を防止する過電流防止装置を備えた請求項１〜３のいずれか１項に記載の電気掃除機用吸込具。
【請求項６】  吸い込み圧力を検知する圧力検知手段を配設し、前記圧力検知手段の出力に応じて電動機への通電を制御するよう構成した請求項１〜３のいずれか１項に記載の電気掃除機用吸込具。
【請求項７】  内部に塵挨を集塵する集塵室と電動送風機を備えた電気掃除機本体に、請求項１〜６のいずれか１項に記載の電気掃除機用吸込具と連通するように接続される接続口を備えた電気掃除機。
【発明の詳細な説明】
【０００１】
【発明の属する技術分野】
本発明は、電動機によって回転される回転ブラシを具備した電気掃除機用吸込具並びにこの電気掃除機用吸込具に接続する電気掃除機に関するものである。
【０００２】
【従来の技術】
従来、この種の電気掃除機用吸込具は、図５に示すように構成していた。以下、その構成について説明する。
【０００３】
図に示すように、吸込具本体１は、絨毯などの被掃除面に付着した塵埃を遊離させる回転ブラシ２を内蔵し、底面に吸込口を設け、後部に掃除機本体（図示せず）と連通される接続パイプ３を回転自在に具備している。回転ブラシ２の外周面にブラシ毛４を植毛し、内部に回転ブラシ２の駆動源である電動機５と、この電動機５の軸に装着し、回転を減速して回転ブラシ２に伝達する遊星歯車６と、この電動機５と遊星歯車６の間に配設した支持部材７とを内蔵している。
【０００４】
この支持部材７は複数のねじ８により電動機５に固定され、電動機５と当接する端面には、電動機５に設けた冷却孔からの換気をよくして放熱性を向上する溝９を形成し、他方の端面は遊星歯車６の内輪１０に嵌合するとともに、遊星歯車６の表面をカバーしている。また、回転ブラシ２の内周面には、キー溝（図示せず）を設け、このキー溝に遊星歯車６の外輪に突設した凸部（図示せず）を嵌合するとともに、凹部を軸方向に設けて冷却気流の流路を形成している。回転ブラシ２の両端の開口部には軸受１１を具備した蓋１２を装着している。
【０００５】
固定軸１３は中空に形成し、一端を回転ブラシ２の側方に突出させ、軸受１１を介して回転ブラシ２を回転自在に支持するとともに、電動機５に接続するリード線を中空部に通し、他端は円筒状に形成して回転ブラシ２の内部に配設し、電動機５の外周を支持している。固定カバー１４は回転ブラシ２の両端に装着し、回転ブラシ２や軸受１１の内部に塵埃が侵入しないようにしている。
【０００６】
回転ブラシ２はこの固定カバー１４と固定軸１３を介して、吸込具本体１に支持され、接続パイプ３の吸気口１５と対向する回転ブラシ２の略中央部には、回転ブラシ２の内部と外部を連通する複数の通気孔１６を形成している。洩らし穴１７は固定軸１３の中空部を介して、回転ブラシ２の内部に電動機を冷却する外気を連通させるもので、吸込具本体１の側面に形成している。
【０００７】
上記構成において動作を説明すると、吸込具本体１と掃除機本体に通電すると電動機５が回転し、遊星歯車６によって減速されながら回転トルクが増大されて回転ブラシ２に伝達され、ブラシ毛４により絨毯などに付着した塵埃を掻き出すとともに、掻き出された塵埃は掃除機本体に吸引される。このとき、電動機５によって回転されるのは、遊星歯車６と回転ブラシ２と蓋１２と軸受１１の外輪のみで、電動機５と固定軸１３と固定カバー１４とリード線は、吸込具本体１に固定保持されている。
【０００８】
また、掃除機本体を運転すると、吸込具本体１と床面で囲まれた空間に負圧がかかり、吸込具本体１の外周より外気が流入して接続パイプ３の吸気口１５に流れ込み、この気流により床面上の塵埃も一緒に吸気口１５へ吸い込まれていく。
【０００９】
このとき、吸気口１５と対向して設けた通気孔１６を通じて回転ブラシ２内部の通気孔１６近傍にも負圧が働くため、中空の固定軸１３と洩らし穴１７を介して吸込具本体１の外部と連通された回転ブラシ２内の側方部との間に圧力差が生じ、外気が洩らし穴１７より固定軸１３の中空部を通って回転ブラシ２の内部に流入し、回転ブラシ２の電動機５の周囲に設けた凹部２ａを通過して通気孔１６に向かって流れ、回転ブラシ２の内部よりさらに気圧が低い吸気口１５に向かって通気孔１６より流出する気流が生じる。
【００１０】
【発明が解決しようとする課題】
このような従来の構成では、吸込具本体１の底面の吸込口を床面に押圧して掃除機本体を運転すると、吸込具本体１と床面で囲まれた空間に負圧がかかり、回転ブラシ２内部の通気孔１６近傍にも負圧が働くため、中空の固定軸１３と洩らし穴１７を介して吸込具本体１の外部と連通された回転ブラシ２内の側方部との間に圧力差が生じ、外気が洩らし穴１７より固定軸１３の中空部を通って回転ブラシ２の内部に流入し、電動機５の周囲を通過して通気孔１６に向かって流れ、電動機５を冷却することができて、温度上昇を低減することができる。
【００１１】
一方、吸込具本体１に通電して電動機５を回転させ、回転ブラシ２を回転させると、ブラシ毛４により絨毯などに付着した塵埃を掻き出すが、このとき、ブラシ毛４が絨毯などに摺動することにより静電気を発生する。電動機５は商用電源に接続しているため、発生した静電気は通気孔１６を通して回転ブラシ２の内部に侵入し、電動機５に放電する。
【００１２】
電動機５は、商用電源電圧を整流する整流器、雑音防止器などを実装した電動機用基板（図示せず）が電気的に接続されており、静電気の放電によって電動機用基板が電気的に破壊され、電動機５が動作できなくなるという問題を有していた。
【００１３】
本発明は上記従来の課題を解決するもので、電動機を冷却して温度上昇を低減するとともに、電動機を回転させて回転ブラシを回転させたとき発生する静電気の放電による不具合をなくし、安全性を向上することを目的としている。
【００１４】
【課題を解決するための手段】
本発明は上記目的を達成するために、吸込具本体の下面に開口させた吸込口に臨むように、吸込具本体内に回転ブラシを回転自在に設け、この回転ブラシは、外周面に塵埃掻き上げ部を設けた略筒状のブラシホルダーの内部に、回転ブラシを回転駆動する電動機と、電動機を保持し回転ブラシを軸支する中空軸とを設け、中空軸の少なくともブラシホルダーからの外部露出部分を絶縁材で形成または覆うように構成したもので、回転ブラシが絨毯などに摺動することにより発生した静電気が中空軸を通して電動機に放電することがなく、静電気の放電による不具合をなくすることができ、安全性を向上することができる。
【００１５】
また、内部に塵埃を集塵する集塵室と電動送風機を備えた電気掃除機本体に、上記電気掃除機用吸込具と連通するように接続される接続口を備えたもので、電動機を冷却して温度上昇を低減することができるとともに、電動機を回転させて回転ブラシを回転させたとき発生する静電気による不具合をなくし、安全性を向上することができる。
【００１６】
【発明の実施の形態】
本発明の請求項１に記載の発明は、下面に吸込口を開口させた吸込具本体と、前記吸込口に臨むように前記吸込具本体内に回転自在に設けた回転ブラシとを備え、前記回転ブラシは、外周面に塵埃掻き上げ部を設けた略筒状のブラシホルダーと、前記回転ブラシを回転駆動する電動機と、前記電動機を保持し回転ブラシを軸支する中空軸とを有し、前記電動機および中空軸を前記ブラシホルダーの内部に設け、前記中空軸の少なくとも前記ブラシホルダーからの外部露出部分を絶縁材で形成または覆うように構成したもので、回転ブラシが絨毯などに摺動することにより発生した静電気が中空軸を通して電動機に放電することがなく、静電気の放電による不具合をなくすることができ、安全性を向上することができる。
【００１７】
請求項２に記載の発明は、上記請求項１に記載の発明において、電動機に電気的に接続された電動機用基板を設け、前記電動機用基板側から冷却風を通過させるよう構成したもので、電動機用基板は電動機の温度上昇の影響を受けることがなく、温度が上昇しないため、誤動作、故障を起こすことがなく、信頼性を向上することができる。
【００１８】
請求項３に記載の発明は、上記請求項１または２に記載の発明において、電動機は、整流子電動機で構成し、整流子側から冷却風を通過させるよう構成したもので、整流子は電動機の温度上昇の影響を受けることがなく、温度が上昇しないため、確実に整流作用を行うことができ、信頼性を向上することができる。
【００１９】
請求項４に記載の発明は、上記請求項１〜３のいずれか１項に記載の発明において、電動機の温度過昇を防止する温度過昇防止装置を備えたもので、電動機の温度が異常に上昇した場合は、温度過昇防止装置を動作させて、安全性を確保することができる。
【００２０】
請求項５に記載の発明は、上記請求項１〜３のいずれか１項に記載の発明において、電動機の過電流を防止する過電流防止装置を備えたもので、電動機に過電流が流れた場合は、過電流防止装置を動作させて、安全性を確保することができる。
【００２１】
請求項６に記載の発明は、上記請求項１〜３のいずれか１項に記載の発明において、吸い込み圧力を検知する圧力検知手段を配設し、前記圧力検知手段の出力に応じて電動機への通電を制御するよう構成したもので、圧力検知手段により検知した吸い込み圧力が低下した場合は、電動機の回転数を低下または停止することにより吸い込み異常時の電動機の安全性を確保することができる。
【００２２】
請求項７に記載の発明は、内部に塵挨を集塵する集塵室と電動送風機を備えた電気掃除機本体に、請求項１〜６のいずれか１項に記載の電気掃除機用吸込具と連通するように接続される接続口を備えたもので、電動機を回転させて、回転ブラシを回転させたとき、ブラシホルダーの端面より吸気し、外周面に形成した通気孔より排気する経路で電動機を冷却することができるので、電動機の温度上昇を低減することができ、また、通気孔と電動機との間に位置する動力伝達装置を合成樹脂により形成しているため、回転ブラシが絨毯などに摺動することにより発生した静電気が電動機に放電することがなく、静電気の放電による不具合をなくすることができ、安全性を向上することができる。
【００２３】
【実施例】
以下、本発明の一実施例について、図面を参照しながら説明する。
【００２４】
図４に示すように、吸込具本体１８は絨毯などの被掃除面に付着した塵埃を遊離させる回転ブラシ１９（図１参照）を内蔵し、後部に延長管２０と接続される連結体２１を回転自在に設けている。掃除機本体２２は、内部に塵埃を集塵する集塵室２３と電動送風機２４を備えており、この掃除機本体２２に設けた接続口２５に、延長管２０に接続したホース２６を接続し、吸込具本体１８の連結体２１を接続口２５に連通するように構成している。
【００２５】
回転ブラシ１９は、図１に示すように、吸込具本体１８の下面に開口した吸込口２７に臨むように、吸込具本体１８内に回転自在に設けている。この回転ブラシ１９は、ＡＢＳ、ポリスチロール、ポリプロピレンなどの熱可塑性樹脂で形成した略筒状のブラシホルダー２８の外周面に塵埃掻き上げ部を構成する複数のブラシ２９を設けている。
【００２６】
なお、塵埃掻き上げ部は、ブラシ２９の他、薄板状のブレード、拭き効果のある帯状体（例えば、布製の帯状体）、これらを適宜組合せたものであってもよい。
【００２７】
このブラシホルダー２８の内部に、図２に示すように、回転ブラシ１９を回転駆動する電動機３０、電動機３０の回転数を減速する減速装置３１、減速装置３１の出力をブラシホルダー２８に伝達するギヤ３２などを内蔵している。ここで、回転ブラシ１９は、電動機３０、減速装置３１などを内蔵するとともに、電動機３０のトルクと、外周面のブラシ２９の先端での塵埃の掻き上げ性能から、その直径を２６ｍｍ〜４３ｍｍとしている。
【００２８】
電動機３０は整流子電動機で構成し、商用電源電圧を整流する整流器、雑音防止器などを実装した電動機用基板３３を設け、この電動機用基板３３に連結体２１を通して掃除機本体２２に接続したリード線３４を接続し、商用電源電圧を整流した電圧により駆動するように構成している。ここで、電動機３０の回転数は、減速装置３１を介してブラシホルダー２８に回転が伝えられるため、３０００ｒｐｍ〜１５０００ｒｐｍに設定している。絨毯を掃除するときは、３０００ｒｐｍ〜１２０００ｒｐｍが好ましい。過電流防止装置３５は正特性サーミスタなどで構成し、電動機３０に過電流が流れるのを防止している。
【００２９】
減速装置３１は遊星歯車により構成して電動機３０の出力軸３６を連結し、電動機３０の回転数を減速する。ここで、減速装置３１の減速比は、１／３〜１／９（好ましくは、１／５〜１／７）としている。遮音筒３７は、減速装置３１の外周を覆って遮音するもので、アルミニウムダイカスト、またはプラスチック成型により形成している。この遮音筒３７を介して電動機３０に保持固定し、電動機３０と減速装置３１とを一体に構成し、出力軸３８にギヤ３２を嵌合している。軸受部３９は電動機３０と一体に構成した減速装置３１をブラシホルダー２８に支持するもので、内輪を減速装置３１の径小部４０に固定し、外輪をブラシホルダー２８の内面部に形成した軸受支持部４１により支持している。
【００３０】
電動機３０の整流子３０ａ側には、内径を中空とし減速装置３１と一体に構成した電動機３０を軸支する中空軸４２を固定している。この中空軸４２は、アルミニウム合金、炭素鋼（Ｓ４５Ｃ）、工業用プラスチックなどの変形しにくい材料で形成し、内径を１３ｍｍとして冷却風をスムーズに導入できるように構成している。この中空軸４２に軸受部４３の内輪を固定し、外輪をブラシホルダー２８の端部に固定したキャップ４４により支持している。
【００３１】
ここで、中空軸４２をアルミニウム合金、炭素鋼（Ｓ４５Ｃ）などの金属で構成した場合は、後述する緩衝部材５４を絶縁材で形成し、中空軸４２の少なくともブラシホルダー２８からの外部露出部分を緩衝部材５４で覆うように構成している。
【００３２】
ギヤ３２は、ポリアセタール、ポリアミドなどの工業用プラスチックで構成し、図３に示すように、ブラシホルダー２８の内面部に形成したギヤ部４５と噛み合い、ギヤ３２とギヤ部４５とで、動力伝達装置を構成している。ギヤ３２の減速装置３１の出力軸３８と嵌合する孔部４６は、炭素鋼（Ｓ４５Ｃ）、ステンレス鋼、焼結合金などで構成し、減速装置３１の出力軸３８と孔部４６は樹脂で覆うように構成している。ギヤ部４５と噛み合う部分に、ゴム、エラストマーなどで形成した緩衝材４７を介在させ、ゴム、エラストマーなどの弾力性により、歯形相互間で噛み合い音を緩衝させている。
【００３３】
ここで、ギヤ部４５は、ブラシホルダー２８の軸方向における略中央部の内面部に形成し、ギヤ３２をブラシホルダー２８の軸方向における略中央部でブラシホルダー２８と連結させている。ギヤ部４５の外側に冷却風の通路孔４８を設けており、この通路孔４８は、中空軸４２から電動機３０、減速装置３１および軸受支持部４１の外側を通るよう形成した冷却風通路４９に連通するとともに、ブラシホルダー２８に設けた通気孔５０に連通している。
【００３４】
電動機３０には、整流子３０ａ側に冷却風を導入する開口部３０ｂ、３０ｃと、冷却風を排出する開口部３０ｄとを設け、冷却風通路４９からバイパスして開口部３０ｂ、３０ｃより、すなわち、電動機用基板３３側で、整流子３０ａ側より冷却風を通過させるように構成している。
【００３５】
通気孔５０はブラシホルダー２８の外周面であって、連結体２１に対向する位置に設け、ブラシホルダー２８の内面に防塵フィルター５１を設け、通気孔５０からブラシホルダー２８の内部に塵埃が入るのを防止している。ギヤ部４５と通気孔５０との間に隔壁５２をブラシホルダー２８に一体に設け、通気孔５０側から減速装置３１側に塵埃が入るのを防止するとともに、減速装置３１より発生する騒音、またはギヤ３２とギヤ部４５との噛み合わせによる騒音が通気孔５０から洩れるのを防止している。
【００３６】
吸込具本体１８の両側端の内側には、回転ブラシ１９を保持する保持部５３を形成し、この保持部５３に緩衝部材５４を介在させて回転ブラシ１９の端部を保持している。この緩衝部材５４は、ゴム、エラストマーなどの弾力性が優れた材料で形成し、回転ブラシ１９の回転による振動、びびりを吸収し、吸込具本体１８へ伝えにくくしている。
【００３７】
また、吸込具本体１８の中空軸４２に対向する側面に吸気孔５５を設け、この吸気孔５５と中空軸４２の端面との間にフィルター５６を介在させている。圧力センサ（圧力検知手段）５７は、掃除機本体２２の吸い込み圧力を検知するもので、連結体２１の近傍に設け、この圧力センサ５７の出力に応じて電動機３０への通電を制御するように構成している。
【００３８】
上記構成において動作を説明すると、吸込具本体１８と掃除機本体２２に通電すると、回転ブラシ１９に内蔵した電動機３０が回転し、減速装置３１によって減速され、回転トルクが増大されて回転ブラシ１９に回転駆動する。回転ブラシ１９の回転により、ブラシホルダー２８の外周面に設けたブラシ２９により絨毯などに付着した塵埃を掻き上げとともに、掻き上げた塵埃は延長管２０、ホース２６を介して掃除機本体２２に吸引される。
【００３９】
ここで、回転ブラシ１９は電動機を内蔵することによって、従来に比べて、その直径が大きくなるが、直径が大きくなると、回転数を従来と同じとしたとき、塵埃掻き上げ部の周速が速まり、被掃除面からの塵埃の掻き上げ性能を向上することができる。
【００４０】
このとき、吸込具本体１８と床面で囲まれた空間に負圧がかかり、吸込具本体１８の外周より外気が流入し、この気流により床面上の塵埃も連結体２１を通して一緒に吸い込まれていく。そして、連結体２１に対向して設けた通気孔５０を通して、回転ブラシ１９内部の通気孔５０の近傍にも負圧が働くため、外気が吸気孔５５より中空軸４２の中空部を通って回転ブラシ１９の内部に流入する。
【００４１】
この流入した外気により、電動機３０および減速装置３１の外側を通る冷却風通路４９、ギヤ部４５の外側に設けた通路孔４８を通り、防塵フィルター５１を介して通気孔５０から流出する冷却風が生じ、電動機３０、電動機用基板３３などを冷却する。
【００４２】
一方、吸込具本体１９に通電して電動機３０を回転させ、回転ブラシ１９を回転させると、ブラシホルダー２８の外周面に設けたブラシ２９により絨毯などに付着した塵埃を掻き出すが、このとき、ブラシ２９が絨毯などに摺動することにより静電気を発生する。
【００４３】
本実施例では、ギヤ３２およびギヤ部４５と通気孔５０との間にブラシホルダー２８に隔壁５２を一体に設けており、例え隔壁５２を設けていなくても、ギヤ３２およびギヤ部４５を合成樹脂により形成しているため、回転ブラシ１９が絨毯などに摺動することにより発生した静電気が電動機３０に放電することがなく、静電気の放電による不具合をなくすることができ、安全性を向上することができる。
【００４４】
ギヤ３２は、通気孔５０側の端面を合成樹脂で覆うように構成しているので、ギヤ３２に連結した入力側の軸が金属であっても、通気孔５０側の端面を合成樹脂で覆うことによって、回転ブラシ１９が絨毯などに摺動することにより発生した静電気が電動機に放電することがなく、静電気の放電による不具合をなくすることができ、安全性を向上することができる。
【００４５】
また、中空軸４２を工業用プラスチックで構成するか、またはアルミニウム合金、炭素鋼（Ｓ４５Ｃ）などの金属で構成した場合は、緩衝部材５４を絶縁材で形成し、中空軸４２の少なくともブラシホルダー２８からの外部露出部分を緩衝部材５４で覆うように構成しているので、回転ブラシ１９が絨毯などに摺動することにより発生した静電気が中空軸４２を通して電動機３０に放電することがなく、静電気の放電による不具合をなくすることができ、安全性を向上することができる。
【００４６】
また、電動機３０は、電動機用基板３３側から冷却風を通過させるよう構成したので、電動機用基板３３は電動機の温度上昇の影響を受けることがなく、温度が上昇しないため、誤動作、故障を起こすことがなく、信頼性を向上することができ、また、整流子３０ａ側から冷却風を通過させるよう構成したので、整流子３０ａは電動機３０の温度上昇の影響を受けることがなく、温度が上昇しないため、確実に整流作用を行うことができ、信頼性を向上することができる。
【００４７】
また、電動機３０の過電流を防止する過電流防止装置３５を備えているので、電動機３０に過電流が流れた場合は、過電流防止装置３５を動作させて、安全性を確保することができ、さらに、圧力センサ５７の出力に応じて電動機３０への通電を制御するよう構成しているので、圧力センサ５７により検知した吸い込み圧力が低下した場合は、電動機３０の回転数を低下または停止することにより吸い込み異常時の電動機３０の安全性を確保することができる。
【００４８】
なお、上記実施例では、電動機３０の過電流を防止する過電流防止装置３５を備えているが、電動機３０の温度過昇を防止する温度過昇防止装置を備えることにより、電動機３０の温度が異常に上昇した場合は、温度過昇防止装置を動作させて、安全性を確保することができる。
【００４９】
【発明の効果】
以上のように本発明の請求項１に記載の発明によれば、下面に吸込口を開口させた吸込具本体と、前記吸込口に臨むように前記吸込具本体内に回転自在に設けた回転ブラシとを備え、前記回転ブラシは、外周面に塵埃掻き上げ部を設けた略筒状のブラシホルダーと、前記回転ブラシを回転駆動する電動機と、前記電動機を保持し回転ブラシを軸支する中空軸とを有し、前記電動機および中空軸を前記ブラシホルダーの内部に設け、前記中空軸の少なくとも前記ブラシホルダーからの外部露出部分を絶縁材で形成または覆うように構成したから、回転ブラシが絨毯などに摺動することにより発生した静電気が中空軸を通して電動機に放電することがなく、静電気の放電による不具合をなくすることができ、安全性を向上することができる。
【００５０】
また、請求項２に記載の発明によれば、電動機に電気的に接続された電動機用基板側から冷却風を通過させるよう構成したから、電動機用基板は電動機の温度上昇の影響を受けることがなく、温度が上昇しないため、誤動作、故障を起こすことがなく、信頼性を向上することができる。
【００５１】
また、請求項３に記載の発明によれば、電動機は、整流子電動機で構成し、整流子側から冷却風を通過させるよう構成したから、整流子は電動機の温度上昇の影響を受けることがなく、温度が上昇しないため、確実に整流作用を行うことができ、信頼性を向上することができる。
【００５２】
また、請求項４に記載の発明によれば、電動機の温度過昇を防止する温度過昇防止装置を備えたから、電動機の温度が異常に上昇した場合は、温度過昇防止装置を動作させて、安全性を確保することができる。
【００５３】
また、請求項５に記載の発明によれば、電動機の過電流を防止する過電流防止装置を備えたから、電動機に過電流が流れた場合は、過電流防止装置を動作させて、安全性を確保することができる。
【００５４】
また、請求項６に記載の発明によれば、吸い込み圧力を検知する圧力検知手段を配設し、前記圧力検知手段の出力に応じて電動機への通電を制御するよう構成したから、圧力検知手段により検知した吸い込み圧力が低下した場合は、電動機の回転数を低下または停止することにより吸い込み異常時の電動機の安全性を確保することができる。
【００５５】
また、請求項７に記載の発明によれば、内部に塵挨を集塵する集塵室と電動送風機を備えた電気掃除機本体に、請求項１〜６のいずれか１項に記載の電気掃除機用吸込具と連通するように接続される接続口を備えたから、電動機を回転させて、回転ブラシを回転させたとき、ブラシホルダーの端面より吸気し、外周面に形成した通気孔より排気する経路で電動機を冷却することができるので、電動機の温度上昇を低減することができ、また、通気孔と電動機との間に位置する動力伝達装置を合成樹脂により形成しているため、回転ブラシが絨毯などに摺動することにより発生した静電気が電動機に放電することがなく、静電気の放電による不具合をなくすることができ、安全性を向上することができる。
【図面の簡単な説明】
【図１】
本発明の一実施例の電気掃除機用吸込具の断面図
【図２】
同電気掃除機用吸込具の要部分解斜視図
【図３】
図１のＡ−Ａ線拡大断面図
【図４】
同電気掃除機用吸込具を備えた電気掃除機の斜視図
【図５】
従来の電気掃除機用吸込具の断面図
【符号の説明】
１８  吸込具本体
１９  回転ブラシ
２７  吸込口
２８  ブラシホルダー
２９  ブラシ（塵埃掻き上げ部）
３０  電動機
３２  ギヤ（動力伝達装置）
４５  ギヤ部（動力伝達装置）
５０  通気孔